(57)【要約】      （修正有）【課題】構成が簡易で、設置スペースが小さくて済むワーク表面拭取り装置とワーク表面拭取り方法。【解決手段】巻出し機構１と押付けローラー２と巻取り機構３とが、互いの軸方向が平行に設けられているワーク表面拭取り装置であり、フレキシブルなクリーニング用部材４は、その一端が巻出し機構１に巻き付けられ、他端が押付けローラー２を経て巻取り機構３に巻き付けられる。被クリーニングワーク１０を固定するワーク固定機構５は、押付けローラー２と間隔を空けて設けることにより、フレキシブルなクリーニング用部材４をワーク固定機構５と押付けローラー２の間に位置させる。被クリーニングワーク１０をワーク固定機構５に固定し、被クリーニング表面１０１をフレキシブルなクリーニング用部材４に接触しながら相対移動させて、ワーク表面の拭き取りを行う。【選択図】図１
2015100794.tif 000002
【特許請求の範囲】
【請求項１】
巻出し機構と、
前記巻出し機構の下流側に軸方向が前記巻出し機構の軸方向と平行するように設けられた押付けローラーと、
前記押付けローラーの下流側に軸方向が前記押付けローラーの軸方向と平行するように設けられた巻取り機構と、
一端が前記巻出し機構に巻き付けられ、他端が前記押付けローラーを経てから前記巻取り機構に巻き付けられるフレキシブルなクリーニング用部材と、
被クリーニングワークを固定するためのワーク固定機構と、を有し、
前記ワーク固定機構が前記押付けローラーと間隔を空けて設けられることによって、前記押付けローラーに巻き掛けられた前記フレキシブルなクリーニング用部材が前記押付けローラーに密着した状態で前記ワーク固定機構と前記押付けローラーの間に位置し、
また、前記ワーク固定機構が前記押付けローラーに対して移動可能に設けられることによって、前記被クリーニングワークが前記ワーク固定機構に固定されたときに、前記被クリーニングワークの被クリーニング表面が前記押付けローラーに巻き掛けられた前記フレキシブルなクリーニング用部材に接触しながら前記押付けローラーに巻き掛けられた前記フレキシブルなクリーニング用部材に対して相対移動することによって、前記被クリーニング表面の一端から他端にかけて順に前記押付けローラーに巻き掛けられた前記フレキシブルなクリーニング用部材に接触する、
ことを特徴とするワーク表面拭取り装置。
【請求項２】
前記巻出し機構は巻出しロールを有し、
前記押付けローラーは、前記巻出しロールの下流側に軸方向が前記巻出しロールの軸方向と平行するように設けられ、
前記フレキシブルなクリーニング用部材の一端は、前記巻出しロールに巻き付けられる、
ことを特徴とする請求項１に記載のワーク表面拭取り装置。
【請求項３】
前記巻出し機構は、前記巻出しロールに接続されて前記巻出しロールを回転駆動するための巻出しロール駆動部材をさらに有する、
ことを特徴とする請求項２に記載のワーク表面拭取り装置。
【請求項４】
前記巻取り機構は巻取りロールを有し、
前記巻取りロールは、前記押付けローラーの下流側に軸方向が前記押付けローラーの軸方向と平行するように設けられ、
前記フレキシブルなクリーニング用部材の他端は、前記押付けローラーを経てから前記巻取りロールに巻き付けられる、
ことを特徴とする請求項１または２に記載のワーク表面拭取り装置。
【請求項５】
前記巻取り機構は、前記巻取りロールに接続されて前記巻取りロールを回転駆動するための巻取りロール駆動部材をさらに有する、
ことを特徴とする請求項４に記載のワーク表面拭取り装置。
【請求項６】
前記押付けローラーは、フレキシブルな押付けローラーであることを特徴とする請求項１から５のいずれか１項に記載のワーク表面拭取り装置。
【請求項７】
前記巻出し機構、前記押付けローラーおよび前記巻取り機構は、全体としてＶ字形状を成すように設けられることを特徴とする請求項１から６のいずれか１項に記載のワーク表面拭取り装置。
【請求項８】
前記押付けローラーに接続されて前記押付けローラーを回転駆動するための押付けローラー駆動部材をさらに有する、
ことを特徴とする請求項１から６のいずれか１項に記載のワーク表面拭取り装置。
【請求項９】
前記フレキシブルなクリーニング用部材は、無塵布またはウエスであることを特徴とする請求項１から８のいずれか１項に記載のワーク表面拭取り装置。
【請求項１０】
前記ワーク固定機構は、前記被クリーニングワークを載置するためのワーク載置台と、前記ワーク載置台に設けられて前記被クリーニングワークを固定するためのワーク固定部材と、を有することを特徴とする請求項１から９のいずれか１項に記載のワーク表面拭取り装置。
【請求項１１】
前記ワーク固定部材は、真空吸着固定部材または治具固定部材であることを特徴とする請求項１０に記載のワーク表面拭取り装置。
【請求項１２】
前記ワーク固定機構は、前記ワーク載置台に接続されて前記ワーク載置台を前記押付けローラーに対して相対移動するように駆動するためのワーク載置台駆動部材をさらに有する、
ことを特徴とする請求項１０または１１に記載のワーク表面拭取り装置。
【請求項１３】
洗浄液供給機構をさらに有し、
前記洗浄液供給機構が前記押付けローラーまたは前記フレキシブルなクリーニング用部材に向うように設けられることによって、前記洗浄液供給機構の中の洗浄液を前記押付けローラーまたは前記フレキシブルなクリーニング用部材に滴らすかまたは噴出する、
ことを特徴とする請求項１から１２のいずれか１項に記載のワーク表面拭取り装置。
【請求項１４】
前記洗浄液は、揮発性の洗浄液であることを特徴とする請求項１３に記載のワーク表面拭取り装置。
【請求項１５】
巻きずれ防止機構をさらに有し、
前記巻きずれ防止機構は中間ローラーと荷重付与手段を具備し、
前記中間ローラーは、前記押付けローラーの下流側であって前記巻取り機構の上流側に設けられるとともに、軸方向が前記押付けローラー及び前記巻取り機構の軸方向と平行するように設けられ、
前記フレキシブルなクリーニング用部材の他端が前記押付けローラーと前記中間ローラーを順に経てから前記巻取り機構に巻き付けられ、
前記荷重付与手段が前記中間ローラーと前記巻取り機構の間に位置する前記フレキシブルなクリーニング用部材に吊り下げられている、
ことを特徴とする請求項１から１４のいずれか１項に記載のワーク表面拭取り装置。
【請求項１６】
前記ワーク固定機構に対応して設けられて、前記ワーク固定機構に固定された前記被クリーニングワークの位置を検出するためのワーク位置検出機構を、さらに有する、
ことを特徴とする請求項１から１５のいずれか１項に記載のワーク表面拭取り装置。
【請求項１７】
前記フレキシブルなクリーニング用部材に対応して設けられて、前記フレキシブルなクリーニング用部材の張力を保持するための張力保持機構を、さらに有することを特徴とする請求項１から１６のいずれか１項に記載のワーク表面拭取り装置。
【請求項１８】
前記ワーク固定機構の前記押付けローラーとは反対側に当接される弾力付与機構を、さらに有することを特徴とする請求項１から１７のいずれか１項に記載のワーク表面拭取り装置。
【請求項１９】
前記巻出し機構、前記巻取り機構および前記ワーク固定機構のうちの少なくとも一つに回路接続されて、該接続された機構の動作を制御する制御機構を、さらに有することを特徴とする請求項１から１８のいずれか１項に記載のワーク表面拭取り装置。
【請求項２０】
請求項１から１９のいずれか１項に記載のワーク表面拭取り装置を用いたワーク表面拭取り方法において、
１）  前記被クリーニングワークを前記ワーク固定機構に固定するステップと、
２）  前記ワーク固定機構を前記押付けローラーに対して相対移動して、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動することによって、前記被クリーニング表面の一端から他端にかけて順に前記押付けローラーに巻き掛けられた前記フレキシブルなクリーニング用部材に接触して、前記被クリーニング表面上の汚物を前記フレキシブルなクリーニング用部材に付着させるステップと、
を有することを特徴とするワーク表面拭取り方法。
【請求項２１】
前記ステップ２）において、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動する間に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップを有する、
ことを特徴とする請求項２０に記載のワーク表面拭取り方法。
【請求項２２】
前記ステップ２）の実施後に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップを有する、
ことを特徴とする請求項２０または２１に記載のワーク表面拭取り方法。
【請求項２３】
前記ワーク表面拭取り装置は、洗浄液供給機構をさらに有し、
前記洗浄液供給機構が前記押付けローラーまたは前記フレキシブルなクリーニング用部材に向かうように設けられることで、前記洗浄液供給機構の中の洗浄液を前記押付けローラーまたは前記フレキシブルなクリーニング用部材に滴らすかまたは噴出し、
前記ワーク表面拭取り方法は、
前記ステップ２）において、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動する間または移動する前に、さらに、
前記洗浄液供給機構の中の洗浄液を前記押付けローラーまたは前記フレキシブルなクリーニング用部材に滴らすかまたは噴出するステップを有する、
ことを特徴とする請求項２０から２２のいずれか１項に記載のワーク表面拭取り方法。
【請求項２４】
前記ステップ２）の実施後に、さらに、
３）  前記ワーク固定機構を前記押付けローラーに対して逆方向へ移動させて、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニングに対して逆方向へ移動することによって、前記被クリーニング表面の他端から一端にかけて順に前記押付けローラーに巻き掛けられた前記フレキシブルなクリーニング用部材に接触して、前記被クリーニング表面に残留した汚物を前記フレキシブルなクリーニング用部材に付着させるステップを有する、
ことを特徴とする請求項２０から２３のいずれか１項に記載のワーク表面拭取り方法。
【請求項２５】
前記ステップ３）において、前記ワーク固定機構が前記押付けローラーに対して逆方向へ移動する前に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップを有する、
ことを特徴とする請求項２４に記載のワーク表面拭取り方法
【請求項２６】
前記ステップ３）の実施後に、さらに、
４）  前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップを有する、
ことを特徴とする請求項２５に記載のワーク表面拭取り方法。
【請求項２７】
前記ステップ３）において前記押付けローラー、前記巻取り機構または前記巻出し機構を所定量若干回転するときの回転量は、前記ステップ４）において前記押付けローラー、前記巻取り機構または前記巻出し機構を逆方向へ所定量若干回転するときの回転量よりも大きい、
ことを特徴とする請求項２６に記載のワーク表面拭取り方法。
【請求項２８】
前記ステップ３）において、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニング用部材に対して逆方向へ移動する間に、さらに、
前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップを有する、
ことを特徴とする請求項２４から２７のいずれか１項に記載のワーク表面拭取り方法。
【請求項２９】
前記ステップ３）の実施後に、さらに、
４）  前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップを有する、
ことを特徴とする請求項２４から２８のいずれか１項に記載のワーク表面拭取り方法。
【請求項３０】
前記ワーク表面拭取り装置は、洗浄液供給機構をさらに有し、
前記洗浄液供給機構が前記押付けローラーまたは前記フレキシブルなクリーニング用部材に向かうように設けられることによって、前記洗浄液供給機構の中の洗浄液を前記押付けローラーまたは前記フレキシブルなクリーニング用部材に滴らすかまたは噴出し、
前記ワーク表面拭取り方法は、
前記ステップ３）において、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニング用部材に対して移動する間または移動する前に、さらに、
前記洗浄液供給機構の中の洗浄液を前記押付けローラーまたは前記フレキシブルなクリーニング用部材に滴らすかまたは噴出するステップを有する、
ことを特徴とする請求項２４から２９のいずれか１項に記載のワーク表面拭取り方法。
【発明の詳細な説明】
【技術分野】
【０００１】
本発明は、ワークのクリーニング技術分野、特にワーク表面のクリーニング技術分野に係り、具体的には、一種のワーク表面拭取り装置およびワーク表面拭取り方法に関する。
【背景技術】
【０００２】
通常、工場などで製造したワークの表面は、例えば油汚れ、屑、粉塵などで汚れているので、外観をきれいにして顧客に好まれる製品にするように、または、組立体の性能を良くして最終製品の性能を高めるように、ワークをそのまま製品として包装する前、または他のワークと組み立てて組立体とする前に、ワークに対してクリーニングを行うことが必要である。
【０００３】
例えば、薄膜トランジスタ液晶ディスプレイ（TFT−LCD）の製造において、液晶パネルをバックライトモジュールの上方の正確な位置に積層してから両者を嵌合固定することで、液晶パネルとバックライトモジュールを組み立てている。また、組立て作業中に、バックライトモジュールまたは液晶パネルの表面に付着した微粒（particle）を除去しないと、組み立てが完了した後、両者の間に存在している微粒は液晶ディスプレイの光学的特性に悪影響を与えてしまう。
【０００４】
したがって、特に、表面処理を必要とする印刷、塗布または積層などの工程において、ワークの清潔度は、製品品質の向上、無駄遣いの低減及び装置休止時間の低減、さらには生産性および企業利潤の向上にとって、非常に重要なものとなっている。
【０００５】
ここで、従来公知のワーク表面クリーニング方法には、主に以下のものがある。
【０００６】
１、手動によるクリーニング
例えば、拭取り布で手動によって直接拭取り、または、照明条件下で肉眼でワーク表面を検査し、一旦微粒などの異物を発見すると、粘性のある粘着棒で微粒を粘着して除去する。
【０００７】
２、超音波クリーナーによる洗浄
その作動原理は、以下の通りである。すなわち、超音波発生器からの高周波振動信号を変換器によって高周波機械的振動に変換して媒体である洗浄溶剤に伝播し、洗浄液において疎と密を交互に繰り返すように超音波を前方へ放射させることによって、液体が流動して直径５０μｍ〜５００μｍの微細な気泡を数万個生成する。これらの気泡は、超音波が縦方向に伝播する負圧域では形成、成長するが、正圧域では迅速に圧縮される。この過程において、気泡が圧縮されることによって数百度の高温と１０００気圧以上の瞬間的高圧を発生するとともに瞬間的高圧は次々と発生して、一連の小さな「爆発」が連続的にワークの表面を衝撃するようになり、これによって、ワークの表面および隙間における異物が迅速に剥離され、ワーク表面を洗浄してクリーン化する目的を達成する。
【０００８】
３、ガスまたはガスイオンによる洗浄
例えば、中国特許ZL２００８１００２８５９３．７には、一種のプラスチック部品の表面のクリーニング方法が公開され、当該クリーニング方法は、以下のステップを有する。
ステップ１：プラスチック部品をワークホルダーにセットしてめっき用真空炉装置内に投入する。
ステップ２：めっき用真空炉装置内部を真空吸引する。
ステップ３：めっき用真空炉装置内へアルゴンガスを注入する。
ステップ４：負電源をオーンにし、めっき用真空炉装置内へアルゴンガスを注入することによって、めっき用真空炉装置におけるイオン放出源からアルゴンイオンを生成し、真空環境下でこのアルゴンイオンによってプラスチック部品の表面を高エネルギで衝撃する。
【０００９】
４、クリーンローラーによるクリーニング
クリーンローラーとワーク表面の物理的な接触によって、クリーニングと除塵の目的を達成する。クリーンローラーは、ポリマーに被覆されたラバーローラーであり、クリーンローラーがワーク表面の異物と物理的に接触すると、異物はクリーンローラーの表面に転写される（中国特許ZL２００８１００８７０１４．６、図８を参照）。
【先行技術文献】
【特許文献】
【００１０】
【特許文献１】中国特許ZL２００８１００２８５９３．７号公報
【特許文献２】中国特許ZL２００８１００８７０１４．６号公報
【発明の概要】
【発明が解決しようとする課題】
【００１１】
上述公知のワーク表面クリーニング方法には、以下のような問題点がある。
【００１２】
１、手動によるクリーニング方法の主な問題点は、以下の通りである。
大量の人による作業を必要とし、且つ効率が低く、クリーニング効果も良くなく（具体的には、汚れが漏れる可能性がある。仮に拭取り布で往復して拭き取ると、二次汚染を引き起こしてしまう。また、拭取り布や粘着棒は、汚物がある程度まで積み重ねてから交換するのが一般的であり頻繁に交換はできないので、二次汚染を引き起こしやすい。）、また、粘着棒の使用によってワークに擦り傷が生じ易く、ワークの品質が不安定になる。
【００１３】
２、超音波クリーナーによる洗浄の問題点は、超音波クリーナーのコストが高く、設置スペースが大きいとともに、高温高圧の発生および水分が残留し易いことから、ワークの品質が影響されてしまう。
【００１４】
３、ガスまたはガスイオンによる洗浄の問題点は、以下の通りである。
装置のコストが高く、設置スペースが大きいとともに、イオン放出源そのものが微粒などの異物を生成する汚染源になる可能性もあるので、イオン放出源によってワークを洗浄した後でも、微粒が依然としてワークに残留する場合もあり、ワークの品質が影響されてしまう。
【００１５】
４、クリーンローラーによるクリーニングの問題点は、以下の通りである。
次のクリーニング作業が影響されないようにクリーンローラーの表面に付着した汚物はすぐに処理しなければいけなく、除塵用粘着ペーパーロールが必要となる。同様に、クリーンローラーの表面に付着した汚物の処理が影響されないように除塵用粘着ペーパーロールに付着した汚物はすぐに処理する必要があり、除塵用粘着ペーパーの切断装置や巻取り装置を取り入れて、汚物が付着した除塵用粘着ペーパーをすぐに切断、剥離、収集しなければいけないので、構成が煩雑なものとなる。
また、ワークの表面は平坦に見えるが、実際に拡大鏡で拡大してみた場合、ワークの表面には大量の凹溝が形成され、これらの凹溝中の汚物について、クリーンローラーではクリーニングすることができない。また、クリーンローラーに付着した汚物はすべて処理されることが少なく、ある程度の残留があるが、クリーンローラーは一定時間運転（即ち、何回か回転）してから交換することが通常であり一周だけ回転してからすぐ交換することは不可能であるので、クリーニングが徹底しないことが多く、ワークの品質が影響されてしまう。
【００１６】
本発明は、上述の従来技術における問題点を克服するためになされたものであり、以下に述べるいずれかの目的のうちの少なくとも一つを達成することである。
まず、その一つの目的は、大量の人による作業を必要とせず、効率が高く、クリーニング効果が良く、ワークに擦り傷が生じなく、ワークの品質が安定するワーク表面拭取り装置を提供することである。
【００１７】
また、本発明のもう一つの目的は、コストが低く、設置スペースが小さくて済み、高温高圧の発生および水分の残留がなく、ワークの品質に影響しないワーク表面拭取り装置を提供することである。
【００１８】
また、本発明のもう一つの目的は、コストが低く、設置スペースが小さくて済み、装置自体が汚れの汚染源にならなく、ワークの品質に影響しないワーク表面拭取り装置を提供することである。
【００１９】
また、本発明のもう一つの目的は、簡易な構成でワーク表面における凹溝中の汚れをクリーニングできてクリーニングが徹底的になり、ワークの品質が優れるワーク表面拭取り装置を提供することである。
【００２０】
また、本発明のもう一つの目的は、大量の人による作業を必要とせず、効率が高く、クリーニング効果が良く、ワークに擦り傷が生じなく、ワークの品質が安定するワーク表面拭取り方法を提供することである。
【００２１】
また、本発明のもう一つの目的は、コストが低く、設置スペースが小さくて済み、高温高圧の発生および水分の残留がなく、ワークの品質に影響しないワーク表面拭取り方法を提供することである。
【００２２】
また、本発明のもう一つの目的は、コストが低く、設置スペースが小さくて済み、装置自体が汚れの汚染源にならなく、ワークの品質に影響しないワーク表面拭取り方法を提供することである。
【００２３】
また、本発明のもう一つの目的は、簡易な構成のワーク表面拭取り装置でワーク表面における凹溝中の汚れをクリーニングできてクリーニングが徹底的になり、ワークの品質が優れるワーク表面拭取り方法を提供することである。
【課題を解決するための手段】
【００２４】
上記の目的を達成するために、本発明の第一方案では、ワーク表面拭取り装置を提供し、本発明のワーク表面拭取り装置は、
巻出し機構と、
前記巻出し機構の下流側に軸方向が前記巻出し機構の軸方向と平行するように設けられた押付けローラーと、
前記押付けローラーの下流側に軸方向が前記押付けローラーの軸方向と平行するように設けられた巻取り機構と、
一端が前記巻出し機構に巻き付けられ、他端が前記押付けローラーを経てから前記巻取り機構に巻き付けられるフレキシブルなクリーニング用部材と、
被クリーニングワークを固定するためのワーク固定機構と、を有し、
前記ワーク固定機構が前記押付けローラーと間隔を空けて設けられることによって、前記押付けローラーに巻き掛けられた前記フレキシブルなクリーニング用部材が前記押付けローラーに密着した状態で前記ワーク固定機構と前記押付けローラーの間に位置し、また、前記ワーク固定機構が前記押付けローラーに対して移動可能に設けられることによって、前記被クリーニングワークが前記ワーク固定機構に固定されたときに、前記被クリーニングワークの被クリーニング表面が前記押付けローラーに巻き掛けられた前記フレキシブルなクリーニング用部材に接触しながら前記押付けローラーに巻き掛けられた前記フレキシブルなクリーニング用部材に対して相対移動することによって、前記被クリーニング表面の一端から他端にかけて順に前記押付けローラーに巻き掛けられた前記フレキシブルなクリーニング用部材に接触する、ことを特徴とする。
【００２５】
また、本発明の他の側面は、上述のワーク表面拭取り装置の発明に加えて更に、前記巻出し機構は巻出しロールを有し、前記押付けローラーは、前記巻出しロールの下流側に軸方向が前記巻出しロールの軸方向と平行するように設けられ、前記フレキシブルなクリーニング用部材の一端は前記巻出しロールに巻き付けられる、ことが好ましい。
【００２６】
本発明の他の側面は、上述のワーク表面拭取り装置の発明に加えて更に、前記巻出し機構は、前記巻出しロールに接続されて前記巻出しロールを回転駆動するための巻出しロール駆動部材をさらに有する、ことが好ましい。
【００２７】
本発明の他の側面は、上述のワーク表面拭取り装置の発明に加えて更に、前記巻取り機構は巻取りロールを有し、前記巻取りロールは、前記押付けローラーの下流側に軸方向が前記押付けローラーの軸方向と平行するように設けられ、前記フレキシブルなクリーニング用部材の他端は、前記押付けローラーを経てから前記巻取りロールに巻き付けられる、ことが好ましい。
【００２８】
本発明の他の側面は、上述のワーク表面拭取り装置の発明に加えて更に、前記巻取り機構は、前記巻取りロールに接続されて前記巻取りロールを回転駆動するための巻取りロール駆動部材をさらに有する、ことが好ましい。
【００２９】
本発明の他の側面は、上述のワーク表面拭取り装置の発明に加えて更に、前記押付けローラーはフレキシブルな押付けローラーである、ことが好ましい。
【００３０】
本発明の他の側面は、上述のワーク表面拭取り装置の発明に加えて更に、前記巻出し機構、前記押付けローラーおよび前記巻取り機構は、全体としてＶ字形状をなすように設けられる、ことが好ましい。
【００３１】
本発明の他の側面は、上述のワーク表面拭取り装置の発明に加えて更に、前記ワーク表面拭取り装置は、前記押付けローラーに接続されて前記押付けローラーを回転駆動するための押付けローラー駆動部材をさらに有する、ことが好ましい。
【００３２】
本発明の他の側面は、上述のワーク表面拭取り装置の発明に加えて更に、前記フレキシブルなクリーニング用部材は、無塵布またはウエスである、ことが好ましい。
【００３３】
本発明の他の側面は、上述のワーク表面拭取り装置の発明に加えて更に、前記ワーク固定機構は、前記被クリーニングワークを載置するためのワーク載置台と、前記ワーク載置台に設けられて前記被クリーニングワークを固定するためのワーク固定部材と、を有する、ことが好ましい。
【００３４】
本発明の他の側面は、上述のワーク表面拭取り装置の発明に加えて更に、前記ワーク固定部材は、真空吸着固定部材または治具固定部材である、ことが好ましい。
【００３５】
本発明の他の側面は、上述のワーク表面拭取り装置の発明に加えて更に、前記ワーク固定機構は、前記ワーク載置台に接続されて前記ワーク載置台を前記押付けローラーに対して相対移動するように駆動するためのワーク載置台駆動部材をさらに有する、ことが好ましい。
【００３６】
本発明の他の側面は、上述のワーク表面拭取り装置の発明に加えて更に、前記ワーク表面拭取り装置は、洗浄液供給機構をさらに有し、前記洗浄液供給機構が前記押付けローラーまたは前記フレキシブルなクリーニング用部材に向かうように設けられることによって、前記洗浄液供給機構の中の洗浄液を前記押付けローラーまたは前記フレキシブルなクリーニング用部材に滴らすか又は噴出する、ことが好ましい。
【００３７】
本発明の他の側面は、上述のワーク表面拭取り装置の発明に加えて更に、前記洗浄液は揮発性の洗浄液である、ことが好ましい。
【００３８】
本発明の他の側面は、上述のワーク表面拭取り装置の発明に加えて更に、前記ワーク表面拭取り装置は巻きずれ防止機構をさらに有し、前記巻きずれ防止機構は中間ローラーと荷重付与手段を具備し、前記中間ローラーは、前記押付けローラーの下流側であって前記巻取り機構の上流側に設けられるとともに、軸方向が前記押付けローラー及び前記巻取り機構の軸方向と平行するように設けられ、前記フレキシブルなクリーニング用部材の他端が前記押付けローラーと前記中間ローラーを順に経てから前記巻取り機構に巻き付けられ、前記荷重付与手段が前記中間ローラーと前記巻取り機構の間に位置する前記フレキシブルなクリーニング用部材に吊り下げられている、ことが好ましい。
【００３９】
本発明の他の側面は、上述のワーク表面拭取り装置の発明に加えて更に、前記ワーク表面拭取り装置は、前記ワーク固定機構に対応して設けられて前記ワーク固定機構に固定された前記被クリーニングワークの位置を検出するためのワーク位置検出機構を、さらに有する、ことが好ましい。
【００４０】
本発明の他の側面は、上述のワーク表面拭取り装置の発明に加えて更に、前記ワーク表面拭取り装置は、前記フレキシブルなクリーニング用部材に対応して設けられて前記フレキシブルなクリーニング用部材の張力を保持するための張力保持機構を、さらに有する、ことが好ましい。
【００４１】
本発明の他の側面は、上述のワーク表面拭取り装置の発明に加えて更に、前記ワーク表面拭取り装置は、前記ワーク固定機構の前記押付けローラーとは反対側に当接される弾力付与機構を、さらに有する、ことが好ましい。
【００４２】
本発明の他の側面は、上述のワーク表面拭取り装置の発明に加えて更に、前記ワーク表面拭取り装置は、前記巻出し機構、前記巻取り機構および前記ワーク固定機構のうちの少なくとも一つに回路接続されて該接続された機構の動作を制御する制御機構を、さらに有する、ことが好ましい。
【００４３】
また、本発明の第二方案では、上記のワーク表面拭取り装置を用いて実施するワーク表面拭取り方法を提供し、本発明のワーク表面拭取り方法は、
１）  前記被クリーニングワークを前記ワーク固定機構に固定するステップと、
２）  前記ワーク固定機構を前記押付けローラーに対して相対移動させて、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動することによって、前記被クリーニング表面の一端から他端にかけて順に前記押付けローラーに巻き掛けられた前記フレキシブルなクリーニング用部材に接触して、前記被クリーニング表面上の汚物を前記フレキシブルなクリーニング用部材に付着させるステップと、を有することを特徴とする。
【００４４】
本発明の他の側面は、上述のワーク表面拭取り方法の発明に加えて更に、前記ステップ２）において、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動する間に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップを、有する、ことが構成されている、ことが好ましい。
【００４５】
本発明の他の側面は、上述のワーク表面拭取り方法の発明に加えて更に、前記ステップ２）の実施後に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップ、を有する、ことが好ましい。
【００４６】
本発明の他の側面は、上述のワーク表面拭取り方法の発明に加えて更に、前記ワーク表面拭取り装置は洗浄液供給機構をさらに有し、
前記洗浄液供給機構が前記押付けローラーまたは前記フレキシブルなクリーニング用部材に向うように設けられることによって、前記洗浄液供給機構の中の洗浄液を前記押付けローラーまたは前記フレキシブルなクリーニング用部材に滴らすかまたは噴出し、
また、本発明のワーク表面拭取り方法は、前記ステップ２）において、前記被クリーニングワークの前記被クリーニング表面が前記押付けローラーに巻き掛けられた前記フレキシブルなクリーニング用部材に接触しながら前記押付けローラーに巻き掛けられた前記フレキシブルなクリーニング用部材に対して移動する間または移動する前に、さらに、前記洗浄液供給機構の中の洗浄液を前記押付けローラーまたは前記フレキシブルなクリーニング用部材に滴らすかまたは噴出するステップを有する、ことが好ましい。
【００４７】
本発明の他の側面は、上述のワーク表面拭取り方法の発明に加えて更に、前記ステップ２）の実施後に、さらに、
３）  前記ワーク固定機構を前記押付けローラーに対して逆方向へ移動させて、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニングに対して逆方向へ移動することによって、前記被クリーニング表面の他端から一端にかけて順に前記押付けローラーに巻き掛けられた前記フレキシブルなクリーニング用部材に接触して、前記被クリーニング表面上に残留した汚物を前記フレキシブルなクリーニング用部材に付着させるステップ、を有する、ことが好ましい。
【００４８】
本発明の他の側面は、上述のワーク表面拭取り方法の発明に加えて更に、前記ステップ３）において前記ワーク固定機構を前記押付けローラーに対して逆方向へ移動する前に、さらに、
前記押付けローラー、前記巻取り機構または前記巻出し機構を所定量若干回転して、前記フレキシブルなクリーニング用部材を搬送することによって、前記フレキシブルなクリーニング用部材に付着した前記汚物を前記被クリーニング表面から離間させるステップ、を有する、ことが好ましい。
【００４９】
本発明の他の側面は、上述のワーク表面拭取り方法の発明に加えて更に、前記ステップ３）の実施後に、さらに、
４）  前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップ、を有する、ことが好ましい。
【００５０】
本発明の他の側面は、上述のワーク表面拭取り方法の発明に加えて更に、前記ステップ３）において前記押付けローラー、前記巻取り機構または前記巻出し機構を所定量若干回転するときの回転量は、前記ステップ４）において前記押付けローラー、前記巻取り機構または前記巻出し機構を逆方向へ所定量若干回転するときの回転量よりも大きくなっている、ことが好ましい。
【００５１】
本発明の他の側面は、上述のワーク表面拭取り方法の発明に加えて更に、前記ステップ３）において、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニング用部材に対して逆方向へ移動する間に、さらに、
前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップを、有する、ことが好ましい。
【００５２】
本発明の他の側面は、上述のワーク表面拭取り方法の発明に加えて更に、前記ステップ３）の実施後に、さらに、
４）  前記押付けローラー、前記巻取り機構または前記巻出し機構を逆方向へ所定量若干回転して、前記フレキシブルなクリーニング用部材を搬送することによって、前記フレキシブルなクリーニング用部材に付着した前記残留した汚物を前記被クリーニング表面から離間させるステップを有する、ことが好ましい。
【００５３】
本発明の他の側面は、上述のワーク表面拭取り方法の発明に加えて更に、前記ワーク表面拭取り装置は洗浄液供給機構をさらに有し、前記洗浄液供給機構が前記押付けローラーまたは前記フレキシブルなクリーニング用部材に向うように設けられることによって、前記洗浄液供給機構の中の洗浄液を前記押付けローラーまたは前記フレキシブルなクリーニング用部材に滴らすかまたは噴出し、
また、本発明のワーク表面拭取り方法は、前記ステップ３）において、前記被クリーニングワークの前記被クリーニング表面が再度前記押付けローラーに巻き掛けられた前記フレキシブルなクリーニング用部材に接触しながら前記押付けローラーに巻き掛けられた前記フレキシブルなクリーニング用部材に対して移動する間または移動する前に、さらに、前記洗浄液供給機構の中の洗浄液を前記押付けローラーまたは前記フレキシブルなクリーニング用部材に滴らすかまたは噴出するステップを有する、ことが好ましい。
【発明の効果】
【００５４】
本発明による優れた効果は、以下に示す事項の少なくとも一つを達成でき、それらは以下に述べる通りである。
【００５５】
１、本発明のワーク表面拭取り装置は、巻出し機構から押付けローラーを経て巻取り機構にフレキシブルなクリーニング用部材を搬送することによって、汚物が付着したフレキシブルなクリーニング用部材を直ちに巻き取って廃棄することができる。また、押付けローラーでフレキシブルなクリーニング用部材を被クリーニングワークの被クリーニング表面に押付けながらクリーニングすることによって、ワーク表面における凹溝内の異物をクリーニングすることができ、しかも、従来のクリーニング方法で除去できる塵埃などの異物を除去できるだけでなく、その他の従来のクリーニング方法で除去できない油脂、指紋及び残留液体なども除去することができる。よって、大量の人による作業を必要とせず、効率が高く、クリーニング効果が良く、ワークに擦り傷が生じなく、ワークの品質が安定するので、量産に適するものである。
【００５６】
２、本発明のワーク表面拭取り装置は、巻出し機構から押付けローラーを経て巻取り機構にフレキシブルなクリーニング用部材を搬送することによって、汚物が付着したフレキシブルなクリーニング用部材を直ちに巻き取って廃棄することができる。また、押付けローラーでフレキシブルなクリーニング用部材を被クリーニングワークの被クリーニング表面に押付けながらクリーニングすることによって、ワーク表面における凹溝内の異物をクリーニングすることができ、しかも、クリーンローラーでクリーニングする際に必要な除塵用粘着ペーパーロールおよび除塵用粘着ペーパーの切断装置や巻取り装置などの装置も必要としない。よって、構成が簡易で、コストが低く、設置スペースが小さくて済み、高温高圧の発生及び水分の残留がなく、装置自体が汚れの汚染源にならなく、ワークの品質に影響しなく、クリーニングが徹底的でワークの品質が優れるので、量産に適するものである。
【００５７】
３、本発明のワーク表面拭取り装置は、クリーニング効果をさらに向上するために洗浄液を最終的にフレキシブルなクリーニング用部材に提供するための洗浄液供給機構をさらに有し、洗浄液供給機構には、揮発性の洗浄液を注入することが好ましい。これによって、洗浄液自体が汚れの汚染源になることを防止して、ワークの品質に影響を与えないので、量産に適するものである。
【００５８】
４、本発明のワーク表面拭取り方法においては、被クリーニングワークの被クリーニング表面が押付けローラーに巻き掛けられたフレキシブルなクリーニング用部材に接触しながら押付けローラーに巻き掛けられたフレキシブルなクリーニング用部材に対して移動する間または移動した後に、押付けローラー、巻取り機構または巻出し機構を所定量若干回転して、フレキシブルなクリーニング用部材を搬送することで、フレキシブルなクリーニング用部材に付着した汚物を被クリーニング表面から離間させている。これによって、拭き取られた汚物が再度被クリーニング表面に付着することを防止することができ、このような巧妙な設計でクリーニングのコストも効率的に抑えることができるので、量産に適するものである。
【００５９】
５、本発明のワーク表面拭取り方法においては、被クリーニング表面の一端から他端にかけて順に押付けローラーに巻き掛けられたフレキシブルなクリーニング用部材に接触した後、これとは逆に、被クリーニング表面の他端から一端にかけて順に押付けローラーに巻き掛けられたフレキシブルなクリーニング用部材に接触し、即ち、往復拭取り（正方向拭取りと逆方向拭取り）をすることで、一回目の拭取り後に残留した汚物（ある場合）を拭き取って除去し、このような巧妙な設計でクリーニングがより徹底的になるので、量産に適するものである。
【００６０】
６、本発明のワーク表面拭取り方法においては、一回目の拭取り後に押付けローラー、巻取り機構または巻出し機構を所定量若干回転するときの回転量を、二回目の拭取り後に押付けローラー、巻取り機構または巻出し機構を逆方向へ所定量若干回転するときの回転量よりも大きくすることで、二回目の拭取り後の逆方向への回転によって一回目の拭取りで拭取った汚物が再度被クリーニング表面に接触して付着することを防止することができ、このような巧妙な設計でクリーニングがより徹底的になるので、量産に適するものである。
【００６１】
また、本発明の上述及びほかの目的、特徴および長所は、以下の詳しい説明、図面及び請求項によって十分に表されるものであり、且つ、請求項に記載の手段、装置およびそれらの組み合わせによって実現できるものである。
【図面の簡単な説明】
【００６２】
【図１】本発明の一実施例における被クリーニングワークの拭取り構造を示す図である。
【図２】図１に示す実施例における被クリーニングワークの拭取り構造を示す図である。
【図３】図１に示す実施例の部分拡大図である。
【図４】本発明のもう一つの実施例の部分拡大図である。
【図５】図１に示す実施例における制御機構とその他の機構との接続関係を示す図である。
【発明を実施するための形態】
【００６３】
以下、本発明の技術内容をより正確に理解できるように、実施例を挙げて詳細に説明する。
【００６４】
図１、図２、図３および図５に示すように、本発明の一実施例において、本発明のワーク表面拭取り装置は、巻出し機構１と、巻出し機構１の下流側に軸方向が巻出し機構１の軸方向と平行するように設けられた押付けローラー２と、押付けローラー２の下流側に軸方向が押付けローラー２の軸方向と平行するように設けられた巻取り機構３と、一端が巻出し機構１に巻き付けられ、他端が押付けローラー２を経てから巻取り機構３に巻き付けられるフレキシブルなクリーニング用部材４と、被クリーニングワーク１０を固定するためのワーク固定機構５と、を有する。
また、ワーク固定機構５が押付けローラー２と間隔を空けて設けられることによって、押付けローラー２に巻き掛けられたフレキシブルなクリーニング用部材４は、押付けローラー２に密着した状態でワーク固定機構５と押付けローラー２の間に位置する。また、ワーク固定機構５は、押付けローラー２に対して移動可能に設けられることによって、被クリーニングワーク１０がワーク固定機構５に固定されたときに、被クリーニングワーク１０の被クリーニング表面１０１が押付けローラー２に巻き掛けられたフレキシブルなクリーニング用部材４に接触しながら押付けローラー２に巻き掛けられたフレキシブルなクリーニング用部材４に対して相対移動することによって、被クリーニング表面１０１の一端から他端にかけて順に押付けローラー２に巻き掛けられたフレキシブルなクリーニング用部材４に接触することになる。
【００６５】
換言すれば、ワーク固定機構５が押付けローラー２に対して移動することによって、被クリーニングワーク１０はフレキシブルなクリーニング用部材４に対して被クリーニング表面１０１に沿って移動することになる。なお、ここでの移動は、一方向への移動であってもよく、往復移動であっても良い。そのうち、一方向への移動とは、例えば、被クリーニング表面１０１がその一端から他端にかけて順に押付けローラー２に巻き掛けられたフレキシブルなクリーニング用部材４に接触するような移動を示し、往復移動とは、上記一方向への移動だけでなく、被クリーニング表面１０１がその他端から一端にかけて順に押付けローラー２に巻き掛けられたフレキシブルなクリーニング用部材４に接触するような移動も含む移動を示す。
即ち、ワーク固定機構５を参照対象とした場合、押付けローラー２に巻き掛けられたフレキシブルなクリーニング用部材４は、被クリーニング表面１０１に接触しながら被クリーニング表面１０１に沿って移動する。同様に、この移動は、たとえば、押付けローラー２に巻き掛けられたフレキシブルなクリーニング用部材４が、被クリーニング表面１０１の一端から他端にかけて順に移動するような一方向への移動でもよく、上記一方向への移動だけでなく、押付けローラー２に巻き掛けられたフレキシブルなクリーニング用部材４が被クリーニング表面１０１の他端から一端にかけて順に移動するような移動も含む往復移動であっても良い。
また、被クリーニングワーク１０が規則的な矩形柱体である場合、即ち、被クリーニング表面１０１が平らな面である場合、ワーク固定機構５は押付けローラー２に対して平行する方向へ移動することになり、また、被クリーニング表面１０１が凹凸のある表面である場合、ワーク固定機構５の移動には、押付けローラー２に対して平行する方向への移動のほか、押付けローラー２に対して近接及び／又は離間する移動も含まれる。
【００６６】
巻取り機構３は、本発明に適宜ないずれの構成を採用できるが、図１及び図２に示すように、本発明の一実施例において、巻取り機構３は巻取りロール３１を有し、この巻取りロール３１は押付けローラー２の下流側に軸方向が押付けローラー２の軸方向と平行するように設けられ、フレキシブルなクリーニング用部材４の他端は押付けローラー２を経てから巻取りロール３１に巻かれている。
【００６７】
また、巻取りロール３１は回転可能であり、ここでの回転は、所定時間内における連続的な回転であってもよく、所定時間内における間欠的な回転であってもよい。
ここで、所定時間内における連続的な回転とは、例えば、被クリーニング表面１０１の一端から他端にかけて順に被クリーニングワーク１０の被クリーニング表面１０１を拭き取るとき、及び拭き取った後も巻取りロール３１を停止せずに連続的に回転させて、フレキシブルなクリーニング用部材４を継続的に搬送することによって、被クリーニング表面１０１を拭取りながらフレキシブルなクリーニング用部材４の交換も行って所望のクリーニング効果を実現することができるが、この場合、コストは非常に高くなる。
また、所定時間内における間欠的な回転とは、例えば、被クリーニング表面１０１の一端から他端にかけて順に被クリーニングワーク１０の被クリーニング表面１０１を拭き取るときには巻取りロール３１を回転せず、拭き取った後巻取りロール３１を回転させることによって、フレキシブルなクリーニング用部材４に付着した汚物１０２を被クリーニング表面１０１から離間させ、これによって、クリーニングの効果を得られると共にクリーニングのコストも抑えることができる。
【００６８】
また、巻取りロール３１の回転を制御して巻取りロール３１が使用者所望の速度で所定方向に回転することができるように、図１及び図２に示すように、本発明の一実施例において、巻取り機構３は、巻取りロール３１に接続されて巻取りロール３１を回転駆動するための巻取りロール駆動部材３２をさらに有する。また、上述のように、ここでの回転は、所定時間内における連続的な回転であってもよく、所定時間内における間欠的な回転であってもよいが、間欠的な回転であることが好ましい。
【００６９】
また、巻取りロール駆動部材３２は、本分野で公知のいずれの駆動部材を適宜に利用することができ、モータ、ギアおよび減速器からなる駆動部材などを挙げられるが、これに限定されるものではない。
【００７０】
また、巻出し機構１は、本発明に適宜ないずれの構成を採用することができるが、図１及び図２に示すように、本発明の一実施例において、巻出し機構１は巻出しロール１１を有し、押付けローラー２は巻出しロール１１の下流側に軸方向が巻出しロール１１の軸方向と平行するように設けられ、フレキシブルなクリーニング用部材4の一端が巻出しロール１１に巻き付けられている。
【００７１】
また、巻出しロール１１も回転可能であり、ここでの回転は、所定時間内における連続的な回転であってもよく、所定時間内における間欠的な回転であってもよい。巻取りロール３１の動作に連携して動作するとき、巻出しロール１１は巻取りロール３１の動作に追従して従動ロールとして動作することができる。また、逆方向へ向かって被クリーニング表面１０１を拭き取るときに（後述を参照）、前述の巻取りロール３１の場合と同様に、被クリーニング表面１０１の他端から一端にかけて順に被クリーニングワーク１０の被クリーニング表面１０１を拭き取るとき、及び拭き取った後も巻出しロール１１を停止せずに連続回転させて、フレキシブルなクリーニング用部材４を継続的に搬送することによって、被クリーニング表面１０１を拭取りながらフレキシブルなクリーニング用部材４の交換も行うことで、理想的なクリーニング効果を実現することができるが、この場合、コストは非常に高くなる。
或いは、被クリーニング表面１０１の他端から一端にかけて順に被クリーニングワーク１０の被クリーニング表面１０１を拭き取るときには巻出しロール１１を回転せず、拭き取りが終わった後巻出しロール１１を回転させて、フレキシブルなクリーニング用部材４に付着した汚物１０２を被クリーニング表面１０１から離間させ、これによって、クリーニングの効果を得られると共にクリーニングのコストも抑えることができる。
【００７２】
また、巻出しロール１１の回転を制御して巻出しロール１１が使用者所望の速度で所定方向に回転することができるように、図１及び図２に示すように、本発明の一実施例において、巻出し機構１は、巻出しロール１１に接続されて巻出しロール１１を回転駆動するための巻出しロール駆動部材１２をさらに有する。また、上述のように、ここでの回転は、所定時間内における連続的な回転であってもよく、間欠的な回転であってもよいが、間欠的な回転であることが好ましい。
【００７３】
同様に、巻出しロール駆動部材１２は、本分野で公知のいずれの駆動部材を適宜に利用することができ、モータ、ギアおよび減速器からなる駆動部材などを挙げられるが、これに限定されるものではない。
【００７４】
また、被クリーニングワーク１０が押し潰されることを防止するために、本発明の一実施例において、押付けローラー２として、フレキシブルな押付けローラーを使用する。ここでのフレキシブルな押付けローラーとは、押付けられると適度に変形し、押付けが解除されると元の状態に戻る押付けローラーのことであり、全体が弾性材たとえばゴムで製造される押付けローラーや、表面が弾性層たとえばゴム層または空気層で被覆された押付けローラーなどを挙げられるが、これらに限定されるものではない。
【００７５】
また、押付けローラー２の数は、必要に応じて決めることができ、一つでもよく、複数でもよい。図１、図２及び図３に示すように、本発明の一実施例において、押付けローラー２の数は一つである。この場合、フレキシブルなクリーニング用部材４と被クリーニング表面１０１の接触部位の面積が比較的に小さいので、両者が互いに摩擦摺動した後、被クリーニング表面１０１の一部の汚物１０２が拭き取れずに残留する可能性があり、特に、汚物が比較的多い場合、被クリーニング表面１０１における汚物１０２を完全に除去できない問題がある。
よって、クリーニング効果を向上させるために、二つまたは二つ以上の押付けローラー２を設けることができ、図４に示すように、本発明のもう一つの実施例において、押付けローラー２は二つあり、二つの押付けローラー２は互いに間隔を空けて設けられている。この場合、フレキシブルなクリーニング用部材４と被クリーニング表面１０１の接触部位の面積が比較的に大きいので、互いに摩擦摺動した後、一つ目の押付けローラー２を経てから一部の汚物が拭き取れずに残留していても、この一部の汚物が二つ目の押付けローラー２によって除去されることになる。
【００７６】
また、巻出し機構１、押付けローラー２および巻取り機構３は、全体として本発明に適宜ないずれの形状に設けられても良いが、「V」字形状に設けられることが好ましい。図１、図２及び図３に示すように、本発明の一実施例において、押付けローラー２が巻出し機構1（具体的には、巻出しロール１１）と巻取り機構３（具体的には、巻取りロール３１）の下方に位置して、全体として「V」字形状をなしている。
【００７７】
また、必要に応じて押付けローラー２を回転駆動することができるように、上記ワーク表面拭取り装置は、押付けローラー２に接続されて押付けローラー２を回転駆動するための押付けローラー駆動部材（図示略）をさらに有することが好ましい。
【００７８】
即ち、押付けローラー２は回転しなくてもよく、この場合、巻取りロール３１または巻出しロール１１の回転によってフレキシブルなクリーニング用部材４の搬送が実現される。また、押付けローラー２は回転してもよく、ここでの回転は、所定時間内における連続な回転であってもよく、間欠的な回転であってもよい。
前述の巻取りロール３１または巻出しロール１１の動作に連携して動作するときに、押付けローラー２は、巻取りロール３１または巻出しロール１１動作に追従して従動ローラーとして動作することができる。
また、押付けローラー２は駆動ローラーとして回転することもできる。例えば、被クリーニング表面１０１の一端から他端にかけて順に被クリーニングワーク１０の被クリーニング表面１０１を拭き取るとき、及び拭き取った後も押付けローラー２を停止せずに連続回転させて、フレキシブルなクリーニング用部材４を継続的に搬送することによって、被クリーニング表面１０１を拭取りながらフレキシブルなクリーニング用部材４の交換も行うことで、理想的なクリーニング効果を実現することができるが、この場合、コストは非常に高くなる。
また、被クリーニング表面１０１の一端から他端にかけて順に被クリーニングワーク１０の被クリーニング表面１０１を拭き取るときには押付けローラー２を回転させず、拭き取りが完了した後に押付けローラー２を回転させて、フレキシブルなクリーニング用部材４に付着した汚物１０２を被クリーニング表面１０１から離間させることもできる。これによって、クリーニングの効果が得られると共にクリーニングのコストも抑えることができる。
【００７９】
また、押付けローラー駆動部材は、本分野で公知のいずれの駆動部材を適宜に利用することができ、押付けローラー２を回転駆動するモータ、ギアおよび減速器からなる駆動部材などを挙げられるが、これに限定されるものではない。
【００８０】
また、フレキシブルなクリーニング用部材４とは、押付けられると適度に変形し、押付けを解除すると元の状態に戻るクリーニング用部材のことであり、例えば、市販のフレキシブルなクリーンクロスなどを挙げられるが、無塵布、コロジオンまたはウエスであることが好ましい。
被クリーニングワーク１０の被クリーニング表面１０１上の凹溝中の汚物１０２をクリーニングする場合、フレキシブルなクリーニング用部材４が、凹溝の形状に応じて変形して凹溝中の汚物１０２に接触することで、凹溝中の汚物１０２がフレキシブルなクリーニング用部材４に付着され、さらに、被クリーニング表面１０１に対する相対移動（摩擦摺動）によって凹溝中の汚物１０２を除去してクリーニングの目的を達成する。特に、フレキシブルなクリーニング用部材４と被クリーニング表面１０１の相対移動の方向が凹溝の長手方向と一致する場合、クリーニング効果はよりすぐれたものとなる。
図１、図２及び図３に示すように、本発明の一実施例において、フレキシブルなクリーニング用部材４は無塵布である。また、図４に示すように、本発明のもう一つの実施例において、フレキシブルなクリーニング用部材４はウエスである。
【００８１】
特に、本発明において、巻出し機構１から押付けローラー２を経て巻取り機構３にフレキシブルなクリーニング用部材４を搬送し、押付けローラー２によってフレキシブルなクリーニング用部材４を被クリーニングワーク１０の被クリーニング表面１０１に押付けながらクリーニングすることによって、ワーク表面上の凹溝中の汚れをクリーニングすることができるだけでなく、押付けローラー２自体はクリーンローラーではないので、クリーンローラーでクリーニングする際に必要な除塵用粘着ペーパーロールおよび除塵用粘着ペーパーの切断装置や巻取り装置などの装置を必要としなく、これによって、クリーニング効果を向上できると共により簡易な構成とすることができる。
【００８２】
また、フレキシブルなクリーニング用部材４の幅は、被クリーニングワーク１０の幅によって決定することができるが、通常、１００ｍｍ〜２９０ｍｍに設定する。
【００８３】
また、ワーク固定機構５は、本発明に適宜ないずれの構成を採用することができる。図１、図２及び図３に示すように、本発明の一実施例において、ワーク固定機構５は、被クリーニングワーク１０を載置するためのワーク載置台５１と、ワーク載置台５１に設けられて被クリーニングワーク１０を固定するためのワーク固定部材５２と、を有する。
【００８４】
ワーク固定部材５２は、本発明に適宜ないずれの固定部材を採用することができるが、真空吸着固定部材または治具固定部材であることが好ましい。図１および図２に示すように、本発明の一実施例において、ワーク固定部材５２は真空吸着固定部材である。具体的には、ワーク載置台５１には気孔が形成され、被クリーニングワーク１０をワーク載置台５１に配置した後、気体の吸い込みによって被クリーニングワーク１０を吸着して固定する。
【００８５】
また、ワーク載置台５１の移動を制御してワーク載置台５１を使用者所望の速度で所定方向に移動させるように、図１及び図２に示すように、本発明の一実施例において、ワーク固定機構５は、ワーク載置台５１に接続されてワーク載置台５１を押付けローラー２に対して相対移動するように駆動するためのワーク載置台駆動部材５３をさらに有する。また、上述のように、ここでの移動は、一方向への移動であってもよく、一方向への移動と逆方向への移動を含む往復移動であってもよい。
【００８６】
また、ワーク載置台駆動部材５３は、本分野で公知のいずれの駆動部材を適宜に利用することができ、ボールネジ駆動部材とベルト駆動部材などを挙げられるが、これらに限定されるものではない。
【００８７】
また、クリーニング効果をより一層向上するために、図１〜図４に示すように、本発明の二つ実施例において、ワーク表面拭取り装置は、押付けローラー２またはフレキシブルなクリーニング用部材４に向くように設けられてその中の洗浄液を押付けローラー２またはフレキシブルなクリーニング用部材４に向けて滴らすかまたは噴出させる洗浄液供給機構６をさらに有し、押付けローラー２に滴らされたり噴出された洗浄液は、最終的には、押付けローラー２の回転または重力の作用によってフレキシブルなクリーニング用部材４に流れる。
【００８８】
また、洗浄液供給機構６は、本発明に適宜ないずれの構成を採用することができる。たとえば、洗浄液を加圧密閉されたタンクに入れ、電磁弁を介して噴出ヘッドに連通させ、噴出ヘッドをフレキシブルなクリーニング用部材４にあわせる。使用のときには、必要な量に応じて電磁弁をＯＮ/ＯＦＦして、加圧された必要量の洗浄液を噴出ヘッドに送り、噴出ヘッドからフレキシブルなクリーニング用部材４に噴出することができる。
【００８９】
また、洗浄液が残留することにより洗浄液そのものが汚れの汚染源になってワークの品質が影響されることを防止するために、洗浄液は揮発性の洗浄液であることが好ましい。揮発性の洗浄液としては、アルコール類の洗浄液、例えばアルコールなどを挙げられるが、これに限定されるものではない。
【００９０】
また、巻取り機構３に巻き取られる際にフレキシブルなクリーニング用部材４の巻きずれが生じないように、ワーク表面拭取り装置は、巻きずれ防止機構７をさらに有することが好ましい。巻きずれ防止機構７は中間ローラー７１と荷重付与手段７２を有し、中間ローラー７１は、押付けローラー２の下流側であって巻取り機構３の上流側に設けられるとともに、軸方向が押付けローラー２及び巻取り機構３の軸方向と平行するように設けられ、フレキシブルなクリーニング用部材４の他端は押付けローラー２と中間ローラー７１をこの順に経てから巻取り機構３に巻かれ、荷重付与手段７２は中間ローラー７１と巻取り機構３の間に位置するフレキシブルなクリーニング用部材４に吊り下げられている。
図１及び図２に示すように、本発明の一実施例において、中間ローラー７１は押付けローラー２の下流側であって巻取りロール３１の上流側に設けられるとともに、軸方向が押付けローラー２及び巻取りロール３１の軸方向と平行するように設けられ、フレキシブルなクリーニング用部材４の他端は押付けローラー２と中間ローラー７１をこの順に経てから巻取りロール３１に巻かれ、荷重付与手段７２は中間ローラー７１と巻取りロール３１の間に位置するフレキシブルなクリーニング用部材４に吊り下げられている。荷重付与手段７２の上下移動によって、フレキシブルなクリーニング用部材４の緊張した状態を維持して巻きずれを防止することができる。
【００９１】
また、被クリーニングワーク１０の位置を正確に把握できるように、好ましくは、ワーク表面拭取り装置はワーク位置検出機構（図示略）をさらに有し、このワーク位置検出機構は、ワーク固定機構５（本実施例において、具体的にはワーク載置台５１）と対応して設けられて、ワーク固定機構５（本実施例において、具体的にはワーク載置台５１）に固定された被クリーニングワーク１０の位置を検出する。また、ワーク位置検出機構は、本分野で公知の位置検出機構を採用することができ、赤外線位置検出センサ、可視光位置検出センサなどを挙げられるが、これらに限定されるものではない。
【００９２】
また、クリーニング効果を確保するために、好ましくは、ワーク表面拭取り装置は、フレキシブルなクリーニング用部材４に対応して設けられてフレキシブルなクリーニング用部材４の張力を保持するための張力保持機構（図示略）をさらに有する。この張力保持機構によって、フレキシブルなクリーニング用部材４の平坦度を維持することでクリーニング効果を向上することができる。
【００９３】
また、肉眼で観察した場合、被クリーニング表面１０１が凹凸のある表面であるとき、被クリーニング表面１０１と押付けローラー２に巻き掛けられたフレキシブルなクリーニング用部材４との接触または密着状態を維持するように、ワーク表面拭取り装置は、ワーク固定機構５の押付けローラー２とは反対側に当接される弾力付与機構８をさらに有することが好ましい。このようにすることで、弾力付与機構８と押付けローラー２によって、被クリーニング表面１０１と押付けローラー２に巻き掛けられたフレキシブルなクリーニング用部材４との接触または密着状態を維持することができる。この弾力付与機構８としては、スプリングまたはゴム体などの弾性体を挙げられるが、これに限定されるものではない。
図１及び図２に示すように、本発明の一実施例において、弾力付与機構８はスプリングであり、このスプリングはワーク載置台５１の押付けローラー２とは反対側に当接されている。このようにすることで、スプリングと押付けローラー２によって、被クリーニング表面１０１と押付けローラー２に巻き掛けられたフレキシブルなクリーニング用部材４との接触または密着状態を維持することができる。
【００９４】
また、クリーニング効率をより一層向上するために、好ましくは、ワーク表面拭取り装置は制御機構をさらに有し、この制御機構は、巻出し機構１、巻取り機構３およびワーク固定機構５のうちの少なくとも一つに回路接続されて、該接続された機構の動作を制御する。例えば、制御機構は、巻出し機構１の回転、巻取り機構３の回転、押付けローラー２に対するワーク固定機構５の移動を制御する。
図５に示すように、本発明の一実施例において、制御機構は、巻出しロール駆動部材１２、巻取りロール駆動部材３２、ワーク載置台駆動部材５３、真空吸着固定部材および洗浄液供給機構６に回路接続されていて、これらの動作を制御する。この場合、制御機構は、巻出しロール駆動部材１２の駆動を制御することによって巻出しロール１１を回転駆動させ、巻取りロール駆動部材３２の駆動を制御することによって巻取りロール３１を回転駆動させ、ワーク載置台駆動部材５３の駆動を制御することによって押付けローラー２に対するワーク載置台５１の移動を制御し、真空吸着固定部材を制御することによって被クリーニングワーク１０を固定し、洗浄液供給機構６を制御することによって洗浄液供給機構６の中の洗浄液を押付けローラー２またはフレキシブルなクリーニング用部材４に放出する。
【００９５】
また、ワーク位置検出機構を設けた場合、ワーク位置検出機構を制御機構に回路接続することができ、この場合、制御機構は、ワーク位置検出機構により検出された被クリーニングワーク１０の位置情報に基づいて、巻出しロール駆動部材１２、押付けローラー駆動部材（設けた場合）、巻取りロール駆動部材３２、ワーク載置台駆動部材５３、および洗浄液供給機構６の動作を制御することができる。
例えば、被クリーニングワーク１０の被クリーニング表面１０１の一端が押付けローラー２に巻き掛けられたフレキシブルなクリーニング用部材４に近づいたことをワーク位置検出機構により検出した場合、制御機構は、洗浄液供給機構６を制御することによって洗浄液供給機構６の中の洗浄液を押付けローラー２またはフレキシブルなクリーニング用部材４に放出させることができ、その後、被クリーニングワーク１０の被クリーニング表面１０１の他端が押付けローラー２に巻き掛けられたフレキシブルなクリーニング用部材４に近づいたとき、制御機構は、巻出しロール駆動部材１２、押付けローラー駆動部材（設けた場合）、または巻取りロール駆動部材３２の駆動を制御することによって、フレキシブルなクリーニング用部材４を搬送して、フレキシブルなクリーニング用部材４に付着した汚物１０２を被クリーニング表面１０１から離間させることができる。
また、逆方向への拭取りを実施しょうとする場合、制御機構は、洗浄液供給機構６を制御することによって洗浄液供給機構６の中の洗浄液を押付けローラー２またはフレキシブルなクリーニング用部材４に放出し、その後、被クリーニングワーク１０の被クリーニング表面１０１の一端が押付けローラー２に巻き掛けられたフレキシブルなクリーニング用部材４に近づいたときに、制御機構は、巻出しロール駆動部材１２、押付けローラー駆動部材（設けた場合）、または巻取りロール駆動部材３２を制御して逆方向へ駆動することによって、フレキシブルなクリーニング用部材４を搬送して、フレキシブルなクリーニング用部材４に付着した汚物１０２を被クリーニング表面１０１から離間させることができる。
【００９６】
また、張力保持機構を設けた場合、張力保持機構を制御機構に回路接続することができ、この場合、制御機構は、張力保持機構により検出された巻出し側の張力信号に基づいて巻取り側の駆動を制御して張力を調整することができる。
具体的には、張力保持機構は、巻出しロール１１におけるフレキシブルなクリーニング用部材４の張力信号を検出してそれを制御機構に伝送し、制御機構は、この張力信号に基づいて巻取りロール駆動部材３２の駆動を制御して、巻取りロール３１におけるフレキシブルなクリーニング用部材４の張力を制御する。
また、逆方向への拭取りを実施する場合、張力保持機構は、巻取りロール３１におけるフレキシブルなクリーニング用部材４の張力信号を検出してそれを制御機構に伝送し、制御機構は、この張力信号に基づいて巻出しロール駆動部材１２の駆動を制御して、巻出しロール１１におけるフレキシブルなクリーニング用部材４の張力を制御する。ここで、張力に対する制御は、テンションコントローラーまたはトルクリミッターによって行うことができる。
【００９７】
また、被クリーニングワーク１０をワーク載置台５１へ固定するときに被クリーニングワーク１０が傷つけられることを防止するために、ワーク載置台５１上に、ゴムマットなどのクッションマットを配置しても良い。
【００９８】
以下、上述したワーク表面拭取り装置によるワーク表面拭取り方法を説明する。
当該ワーク表面拭取り方法は、
１）  被クリーニングワーク１０をワーク固定機構５に固定するステップと、
２）  ワーク固定機構５を押付けローラー２に対して相対移動して、被クリーニングワーク１０の被クリーニング表面１０１が押付けローラー２に巻き掛けられたフレキシブルなクリーニング用部材４に接触しながら押付けローラー２に巻かられたフレキシブルなクリーニング用部材４に対して移動することによって、被クリーニング表面１０１の一端から他端にかけて順に押付けローラー２に巻き掛けられたフレキシブルなクリーニング用部材４に接触して、被クリーニング表面１０１上の汚物１０２をフレキシブルなクリーニング用部材４に付着させるステップと、
を主に有する。
【００９９】
また、上述の「被クリーニングワーク１０をワーク固定機構５に固定するステップ」において、本発明の具体的な実施例では、ワーク固定部材５２によって被クリーニングワーク１０をワーク載置台５１に固定することができる。
【０１００】
また、上述の「ワーク固定機構５を押付けローラー２に対して移動させる」とは、押付けローラー２が移動せず、ワーク固定機構５が移動することを言う。また、ワーク固定機構５の移動（本発明の具体的な実施例においては、ワーク載置台５１の移動）は、ワーク載置台駆動部材５３の駆動によって行うことができる。
【０１０１】
また、被クリーニングワーク１０は、巻取り側から押付けローラー２に巻き掛けられたフレキシブルなクリーニング用部材４へ移動してもよく、巻出し側から押付けローラー２に巻き掛けられたフレキシブルなクリーニング用部材４へ移動してもよい。図１に示すように、被クリーニングワーク１０は左側から右側（図中の水平矢印方向）へ移動し、即ち、巻取り側から押付けローラー２に巻き掛けられたフレキシブルなクリーニング用部材４へ向かって移動している。
【０１０２】
また、より優れたクリーニング効果を得るために、本発明のワーク表面拭取り方法は、上記ステップ２）において、被クリーニングワーク１０の被クリーニング表面１０１が押付けローラー２に巻き掛けられたフレキシブルなクリーニング用部材４に接触しながら押付けローラー２に巻き掛けられたフレキシブルなクリーニング用部材４に対して移動させる間に、さらに、押付けローラー２、巻取り機構３または巻出し機構１を所定量若干回転してフレキシブルなクリーニング用部材４を搬送することによって、フレキシブルなクリーニング用部材４に付着した汚物１０２を被クリーニング表面１０１から離間させるステップを有する。
図１に示すように、被クリーニングワーク１０が左側から右側（図中の水平矢印方向）へ移動するときに、被クリーニング表面１０１上の汚物１０２はフレキシブルなクリーニング用部材４の被クリーニング表面１０１との接触部位の外側（左側）に寄せられる。このとき、巻取りロール駆動部材３２を反時計回り方向に回転し、または押付けローラー駆動部材（設けた場合）を時計回り方向に回転すると、フレキシブルなクリーニング用部材４は図中の斜めの矢印方向に沿って移動し、これによって、これらの汚物１０２を被クリーニング表面１０１から離間させることができる。
【０１０３】
ここで、「所定量若干回転」とは、何周も回転する大幅な回転ではなく、僅かに回転することを示す。例えば、一回転の一部の量のみを回転してフレキシブルなクリーニング用部材４に付着した汚物１０２を被クリーニング表面１０１から離間させて、被クリーニング表面１０１をクリーニングすると共にクリーニングコストを低減する目的を達成できればよいが、必要に応じてさらに回転しても良い。
【０１０４】
また、より優れたクリーニング効果を得るために、本発明のワーク表面拭取り方法は、上記ステップ２）の実施後に、さらに、押付けローラー２、巻取り機構３または巻出し機構１を所定量若干回転してフレキシブルなクリーニング用部材４を搬送することによって、フレキシブルなクリーニング用部材４に付着した汚物１０２を被クリーニング表面１０１から離間させるステップを有する。
図１に示すように、被クリーニングワーク１０が左側から右側（図中の水平矢印方向）に移動した後、被クリーニング表面１０１上の汚物１０２はフレキシブルなクリーニング用部材４の被クリーニング表面１０１との接触部位の外側（左側）に寄せられる。このとき、巻取りロール駆動部材３２を反時計回り方向に回転し、または押付けローラー駆動部材（設けた場合）を時計回り方向に回転することで、フレキシブルなクリーニング用部材４は斜めの矢印方向に沿って移動し、これによって、これらの汚物１０２を被クリーニング表面１０１から離間させることができる。
【０１０５】
また、洗浄液供給機構６の中の洗浄液は、任意のタイミングで供給することができる。
本発明において、好ましくは、本発明のワーク表面拭取り方法は、上記ステップ２）において、被クリーニングワーク１０の被クリーニング表面１０１が押付けローラー２に巻き掛けられたフレキシブルなクリーニング用部材４に接触しながら押付けローラー２に巻き掛けられたフレキシブルなクリーニング用部材４に対して移動する間または移動する前に、さらに、洗浄液供給機構６の中の洗浄液を押付けローラー２またはフレキシブルなクリーニング用部材４に滴らすかまたは噴出するステップを有しても良い。
図１及び図３に示すように、本発明のワーク表面拭取り方法は、上記ステップ２）において、被クリーニングワーク１０の被クリーニング表面１０１が押付けローラー２に巻き掛けられたフレキシブルなクリーニング用部材４に接触しながら押付けローラー２に巻き掛けられたフレキシブルなクリーニング用部材４に対して移動する間に、さらに、洗浄液供給機構６の中の洗浄液を押付けローラー２に滴らし、その後、押付けローラー２からフレキシブルなクリーニング用部材４に流下または滴下するステップを有している。
【０１０６】
また、一回目の拭取りが完了した後被クリーニング表面１０１に残留した可能性のある汚物１０２を除去ために、好ましくは、本発明のワーク表面拭取り方法は、上記ステップ２）の実施後に、さらに、３）  ワーク固定機構５を押付けローラー２に対して逆方向へ移動させて、被クリーニングワーク１０の被クリーニング表面１０１が再度押付けローラー２に巻き掛けられたフレキシブルなクリーニング用部材４に接触しながら押付けローラー２に巻き掛けられたフレキシブルなクリーニング４に対して移動することによって、被クリーニング表面１０１の他端から一端にかけて順に押付けローラー２に巻き掛けられたフレキシブルなクリーニング用部材４に接触して、被クリーニング表面１０１上に残留した汚物１０２をフレキシブルなクリーニング用部材４に付着させるステップを有している。
【０１０７】
また、上述の「ワーク固定機構５を押付けローラー２に対して逆方向へ移動させる」とは、ワーク固定機構５が押付けローラー２に対して元の移動経路に沿って戻ることを意図するものである。この「逆方向へ移動」によって、二回目の拭取り、即ち逆方向への拭取りを実施し、図２に示すように、被クリーニングワーク１０は、右側から左側に（図中の水平矢印方向）移動する。
【０１０８】
また、さらに優れたクリーニング効果を得るために、本発明のワーク表面拭取り方法は、上記ステップ３）においてワーク固定機構５を押付けローラー２に対して逆方向へ移動させる間、または上記ステップ３）の実施後に、さらに、押付けローラー２、巻取り機構３または巻出し機構１を逆方向に所定量若干回転してフレキシブルなクリーニング用部材４を搬送することによって、フレキシブルなクリーニング用部材４に付着した上記残留した汚物１０２を被クリーニングワーク表面１０１から離間させるステップを有する。
図２に示すように、被クリーニングワーク１０が右側から左側に（図中の水平矢印方向）移動する間または移動した後、被クリーニング表面１０１に残留した汚物１０２はフレキシブルなクリーニング用部材４の被クリーニング表面１０１との接触部位の外側（右側）に寄せられる。このとき、巻出しロール駆動部材１２を時計回り方向に回転し、または押付けローラー駆動部材（設けた場合）を反時計回り方向に回転することで、フレキシブルなクリーニング用部材４は斜めの矢印方向に沿って移動し、これによって、これらの残留した汚物１０２を被クリーニング表面１０１から離間させることができる。
【０１０９】
また、二回目の拭取りが完了した後の逆方向への回転によって一回目の拭取りで拭取った汚物１０２が再度被クリーニング表面１０１に接触して付着することを防止するために、一回目の拭取り後に押付けローラー２、巻取り機構３または巻出し機構１を所定量若干回転するときの回転量を、二回目の拭取り後に押付けローラー２、巻取り機構３または巻出し機構１を逆方向へ所定量若干回転するときの回転量よりも大きくしている。また、一回目の拭取り後の回転量は、一回目の拭取りが完了した後にフレキシブルなクリーニング用部材４に付着した汚物１０２を被クリーニング表面１０１から離間させるに適する回転量の２倍程度であることが好ましい。また、一回目の拭取り後の回転量は、一回目の拭取りが完了した後にフレキシブルなクリーニング用部材４に付着した汚物１０２を被クリーニング表面１０１から離間させるに適する回転量と二回目の拭取りが完了した後にフレキシブルなクリーニング用部材４に付着した汚物１０２を被クリーニング表面１０１から離間させるに適する回転量との合計回転量であることがより好ましい。
換言すれば、一回目の拭取り後のフレキシブルなクリーニング用部材４の搬送長さを、二回目の拭取り後のフレキシブルなクリーニング用部材４の逆方向への搬送長さより大きくしている。これによって、二回目の拭取りが完了した後の逆方向への回転によって、一回目の拭取りで拭取った汚物１０２が再度被クリーニング表面１０１に接触して付着することを防止することができる。
図１及び図２に示すように、巻取りロール駆動部材３２を反時計回り方向に回転するときの回転量、または押付けローラー駆動部材（設けた場合）を時計回り方向に回転するときの回転量（例えば、７ｍｍ）は、巻出しロール駆動部材１２を時計回り方向に回転するときの回転量、または押付けローラー駆動部材（設けた場合）を反時計回り方向に回転するときの回転量（例えば、３ｍｍ）より大きくなっている。
【０１１０】
同様に、本発明のワーク表面拭取り方法は、上記ステップ３）において、被クリーニングワーク１０の被クリーニング表面１０１が再度押付けローラー２に巻き掛けられたフレキシブルなクリーニング用部材４に接触しながら押付けローラー２に巻き掛けられたフレキシブルなクリーニング用部材４に対して逆方向へ移動する間または移動する前に、さらに、洗浄液供給機構６の中の洗浄液を押付けローラー２またはフレキシブルなクリーニング用部材４に滴らすかまたは噴出するステップ、を有しても良い。
図２に示すように、本発明のワーク表面拭取り方法は、上記ステップ３）において、被クリーニングワーク１０の被クリーニング表面１０１が再度押付けローラー２に巻き掛けられたフレキシブルなクリーニング用部材４に接触しながら押付けローラー２に巻き掛けられたフレキシブルなクリーニング用部材４に対して逆方向へ移動させる間に、さらに、洗浄液供給機構６の中の洗浄液を押付けローラー２に滴らし、その後、押付けローラー２からフレキシブルなクリーニング用部材４に流下または滴下するステップを有しても良い。
【０１１１】
また、上記のように往復して拭取ることによって、被クリーニングワーク１０の被クリーニング表面１０１は非常に綺麗になるが、必要によって上記の往復拭取りを繰り返して行っても良い。また、拭取りが完了した後は、巻取りロール駆動部材３２を駆動することによって、汚物１０２が付着したフレキシブルなクリーニング用部材４を巻き取って廃棄し、巻出し機構１から綺麗な新しいフレキシブルなクリーニング用部材４を押付けローラー２に巻き掛けて、次の被クリーニングワーク１０のクリーニングに待機する。
【０１１２】
なお、フレキシブルなクリーニング用部材４に付着した汚物１０２が拭取り済みの被クリーニング表面１０１に落ちることを防止するために、巻出し機構１側から拭取り済みの被クリーニングワーク１０を回収することが好ましい。
【０１１３】
本発明によれば、従来のクリーニング方法で除去できる塵埃などの異物を除去できるだけでなく、その他の従来のクリーニング方法で除去できない油脂、指紋及び残留液体なども除去できるので、クリーニング精度が高く、クリーニングが徹底的になり、ワークを組みたててなる製品の性能を効率的に向上することができる。
【０１１４】
上述では、主にワークへのクリーニングを説明したが、本発明はこれに限定されなく、ほかの電子部品へのクリーニングにも適用できる。
【０１１５】
また、上記の説明および図面に示す本発明の実施例は例示に過ぎなく、本発明を限定するものではないことは、当業者は理解できるはずである。
【０１１６】
また、上記によって本発明の目的は完全かつ有効的に実現されている。また、本発明の功能と構造原理は、実施例において説明した通りであり、上記原理に違反しない限り、実施例に対して様々な変更をすることができる。よって、本発明は、請求項の主旨および範囲に基づくすべての変形実施形態を含むものである。
【図１】
2015100794.tif 000003
【図２】
2015100794.tif 000004
【図３】
2015100794.tif 000005
【図４】
2015100794.tif 000006
【図５】
2015100794.tif 000007